(57)【要約】  本発明はダウンリンク制御情報の伝送、検出方法及び装置を開示する。当該方法において、ダウンリンク伝送時間帯におけるリソース割り当て状態を決定し、前記リソース割り当ては、少なくとも１つのダウンリンク伝送リソース領域の割り当てを含み、少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングする。ダウンリンク伝送時間帯における所定リソースにおいて、ダウンリンク制御情報を検出し、検出されたダウンリンク制御情報に基づき前記ダウンリンク制御情報により指示されたデータ伝送領域を決定し、前記データ伝送領域において次のダウンリンク制御情報を検出する。本発明によれば、ダウンリンク制御情報が各々ダウンリンク伝送時間帯内の固定位置において伝送されることができ、多種の長さの伝送時間間隔をサポートし、今後より多様なサービスタイプをサポートすることができる。
2019505129.tif 000002
【特許請求の範囲】
【請求項１】
ダウンリンク伝送時間帯におけるリソース割り当て状態を決定するステップであって、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である前記決定ステップと、
少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングするステップとを備えることを特徴とするダウンリンク制御情報の伝送方法。 
【請求項２】
ダウンリンク制御情報を伝送するための前記所定リソースは、以下のいずれかの１つの方式またはそれらの任意の組み合わせにより決定され、
周波数領域におけるＫ１個のサブキャリア及び時間領域におけるＫ２個の直交周波数分割多重ＯＦＤＭシンボルはダウンリンク制御情報により占有される場合、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項１に記載のダウンリンク制御情報の伝送方法。 
【請求項３】
前記エレメンタリー伝送エレメントは、Ｎ個のサブキャリアＭ個のＯＦＤＭシンボルより構成されるリソースブロックであり、Ｎ、Ｍは正整数であることを特徴とする請求項２に記載のダウンリンク制御情報の伝送方法。 
【請求項４】
所定リソースのリソース位置がダウンリンク伝送時間帯における特定周波数領域位置である場合、前記周波数領域位置は、ダウンリンク伝送時間帯におけるＹ個のサブキャリアＳＣであり、Ｙ個のＳＣは連続的であるかまたは離散的であり、Ｙは正整数であることを特徴とする請求項２に記載のダウンリンク制御情報の伝送方法。 
【請求項５】
前記ダウンリンク制御情報にはスケジューリングＵＥのＩＤ及び/またはデータ領域のサイズが含まれることを特徴とする請求項１ないし請求項４のいずれか１項に記載のダウンリンク制御情報の伝送方法。 
【請求項６】
前記ダウンリンク制御情報にはアイドル領域のサイズがさらに含まれることを特徴とする請求項５に記載のダウンリンク制御情報の伝送方法。 
【請求項７】
前記ダウンリンク制御情報は、アイドル領域の開始位置において伝送されることを特徴とする請求項６に記載のダウンリンク制御情報の伝送方法。 
【請求項８】
ダウンリンク伝送時間帯における所定リソースにおいて、ダウンリンク制御情報を検出するステップであって、前記ダウンリンク伝送時間帯には、少なくとも１つのシンボルが含まれるか、または、前記ダウンリンク伝送時間帯長がＢｍｓであり、Ｂは正整数である前記検出ステップと、
検出されたダウンリンク制御情報に基づき前記ダウンリンク制御情報により指示されたデータ伝送領域を決定するステップと、
前記データ伝送領域において次のダウンリンク制御情報を検出するステップとを備えることを特徴とするダウンリンク制御情報の検出方法。
【請求項９】
ダウンリンク制御情報を検出するための前記所定リソースは、以下のいずれかの１つの方式またはそれらの任意の組み合わせにより決定され、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項８に記載のダウンリンク制御情報の検出方法。
【請求項１０】
前記エレメンタリー伝送エレメントは、Ｎ個のサブキャリアＭ個のＯＦＤＭシンボルより構成されるリソースブロックであり、Ｎ、Ｍは正整数であり、
所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、前記Ｓ１及びＳ２は正整数であることを特徴とする請求項９に記載のダウンリンク制御情報の検出方法。
【請求項１１】
所定リソースがエレメンタリー伝送エレメントである場合、前記エレメンタリー伝送エレメントに、１つのダウンリンク制御チャネルまたは１つのダウンリンク制御チャネルの一部が含まれることを特徴とする請求項９に記載のダウンリンク制御情報の検出方法。
【請求項１２】
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項９に記載のダウンリンク制御情報の検出方法。
【請求項１３】
前記ダウンリンク制御情報には、スケジューリングＵＥのＩＤ及び/またはデータ領域のサイズが含まれることを特徴とする請求項８ないし請求項１２のいずれか１項に記載のダウンリンク制御情報の検出方法。
【請求項１４】
前記ダウンリンク制御情報にアイドル領域のサイズがさらに含まれる場合、検出されたダウンリンク制御情報に基づき前記ダウンリンク制御情報により指示されたデータ伝送領域及び/またはアイドル領域を決定するステップと、
前記データ伝送領域及び/またはアイドル領域以外の領域において次のダウンリンク制御情報を検出するステップとをさらに備えることを特徴とする請求項１３に記載のダウンリンク制御情報の検出方法。
【請求項１５】
前記ダウンリンク制御情報は、アイドル領域の開始位置において伝送されることを特徴とする請求項１４に記載のダウンリンク制御情報の検出方法。
【請求項１６】
ダウンリンク伝送時間帯におけるリソース割り当て状態を決定し、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数であるリソース決定モジュールと、
少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングする伝送モジュールとを備えることを特徴とするダウンリンク制御情報の伝送装置。
【請求項１７】
前記リソース決定モジュールは、以下のいずれかの方式または任意の組み合わせで、ダウンリンク制御情報を伝送するための前記所定リソースを決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項１６に記載のダウンリンク制御情報の伝送装置。
【請求項１８】
前記エレメンタリー伝送エレメントは、Ｎ個のサブキャリアＭ個のＯＦＤＭシンボルより構成されるリソースブロックであり、Ｎ、Ｍは正整数であることを特徴とする請求項１７に記載のダウンリンク制御情報の伝送装置。
【請求項１９】
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項１７に記載のダウンリンク制御情報の伝送装置。
【請求項２０】
前記ダウンリンク制御情報には、スケジューリングＵＥのＩＤ及び/またはデータ領域のサイズが含まれることを特徴とする請求項１６ないし請求項１９のいずれか１項に記載のダウンリンク制御情報の伝送装置。
【請求項２１】
前記ダウンリンク制御情報にはアイドル領域のサイズがさらに含まれることを特徴とする請求項２０に記載のダウンリンク制御情報の伝送装置。
【請求項２２】
前記ダウンリンク制御情報は、アイドル領域の開始位置において伝送されることを特徴とする請求項２１に記載のダウンリンク制御情報の伝送装置。
【請求項２３】
ダウンリンク伝送時間帯における所定リソースにおいて、ダウンリンク制御情報を検出し、前記ダウンリンク伝送時間帯には、少なくとも１つのシンボルが含まれるか、または、前記ダウンリンク伝送時間帯長がＢｍｓであり、Ｂは正整数である検出モジュールと、
検出されたダウンリンク制御情報に基づき前記ダウンリンク制御情報により指示されたデータ伝送領域を決定する領域決定モジュールとを備え、
前記検出モジュールは、前記データ伝送領域以外の領域でダウンリンク制御情報を検出することを特徴とするダウンリンク制御情報の検出装置。 
【請求項２４】
前記検出モジュールは、以下のいずれかの方式またはその組み合わせで、ダウンリンク制御情報の前記所定リソースへの検出を決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項２３に記載のダウンリンク制御情報の検出装置。 
【請求項２５】
前記エレメンタリー伝送エレメントは、Ｎ個のサブキャリアＭ個のＯＦＤＭシンボルより構成されるリソースブロックであり、Ｎ、Ｍは正整数であり、
前記検出モジュールは、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、前記Ｓ１及びＳ２は正整数であることを特徴とする請求項２４に記載のダウンリンク制御情報の検出装置。 
【請求項２６】
所定リソースがエレメンタリー伝送エレメントである場合、前記エレメンタリー伝送エレメントに、１つのダウンリンク制御チャネルまたは１つのダウンリンク制御チャネルの一部が含まれることを特徴とする請求項２４に記載のダウンリンク制御情報の検出装置。 
【請求項２７】
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項２４に記載のダウンリンク制御情報の検出装置。 
【請求項２８】
前記ダウンリンク制御情報には、スケジューリングＵＥのＩＤ及び/またはデータ領域のサイズが含まれることを特徴とする請求項２３ないし請求項２７のいずれか１項に記載のダウンリンク制御情報の検出装置。 
【請求項２９】
前記領域決定モジュールュールは、前記ダウンリンク制御情報にアイドル領域のサイズが含まれる場合、検出されたダウンリンク制御情報に基づき前記ダウンリンク制御情報により指示されたデータ伝送領域及び/またはアイドル領域を決定し、
前記検出モジュールは、前記データ伝送領域及び/またはアイドル領域以外の領域において次のダウンリンク制御情報を検出することを特徴とする請求項２８に記載のダウンリンク制御情報の検出装置。
【請求項３０】
前記ダウンリンク制御情報は、アイドル領域の開始位置において伝送されることを特徴とする請求項２９に記載のダウンリンク制御情報の検出装置。 
【請求項３１】
メモリに格納されたプログラムを読み出すプロセッサと、
プロセッサの制御によりデータを送受信する送受信機とを備え、
前記プロセッサは、ダウンリンク伝送時間帯におけるリソース割り当て状態を決定し、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数であり、
前記送受信機は、少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングすることを特徴とするダウンリンク制御情報の伝送装置。
【請求項３２】
モリに格納されたプログラムを読み出すプロセッサと、
プロセッサの制御によりデータを送受信する送受信機とを備え、
前記プロセッサは、検出されたダウンリンク制御情報に基づき前記ダウンリンク制御情報により指示されたデータ伝送領域を決定し、
前記送受信機は、ダウンリンク伝送時間帯における所定リソースにおいて、ダウンリンク制御情報を検出し、前記ダウンリンク伝送時間帯には、少なくとも１つのシンボルが含まれるか、または、前記ダウンリンク伝送時間帯長がＢｍｓであり、Ｂは正整数であり、
前記データ伝送領域において次のダウンリンク制御情報を検出することを特徴とするダウンリンク制御情報の検出装置。
【発明の詳細な説明】
【技術分野】
【０００１】
本発明は無線通信技術分野に関し、特にダウンリンク制御情報の伝送方法、検出方法及び装置に関する。
【背景技術】
【０００２】
モバイルインターネットは、伝統的な移動通信サービスモードを変更し、ユーザーに前例のない体験を提供し、人々の仕事・生活のあらゆる側面に深く影響する。モバイルインターネットは、人間社会情報交換方式の更なる向上を促進し、ユーザーに拡張現実感、バーチャルリアリティ、超高精細（３Ｄ）ビデオ、モバイル・クラウドなど等より豊富なサービス経験を提供する。モバイルインターネットの更なる発展は，将来的に、モバイルトラフィックの数千倍の増加量をもたらし、モバイル通信技術・産業の新たな変革を推進する。一方、モノのインターネットは、モバイル通信のサービス範囲を拡大し、人間と人間の通信から、人間ともの、ものともののスマートな通信などにより、モバイル通信技術がより多くの産業や分野に浸透していく。将来、モバイル治療、車両ネットワーク、インテリジェントホーム、工業制御、環境監視などは、モノのインターネットの応用の爆発的な成長を促進し、数十億のデバイスがネットワークにアクセスし、実際の「あらゆるもののインターネット」につながる。また、膨大な数のデバイスのアクセス及び多様なモノのインターネットサービスは、モバイル通信に新しい技術挑戦である。 
【０００３】
新しい数多くのサービスニーズが絶えずに現れるとともに、今後のモバイル通信システムの性能への要求がより高くなり、例えば、高ピークレート、優れるユーザー体験レート、低遅延、高信頼度、高スペクトラム化率及び高エネルギー消費効率などが要求される。また、より多くのユーザーのアクセス及びサービスタイプをサポートしなければならない。膨大数の多様な端末のアクセス及び異なるサービスタイプをサポートするため、ＵＬ/ＤＬリソースの柔軟な構成は、１つの技術発展方向となる。今後のシステムリソースは、サービスに応じて、異なるサブバンドに分けられ、そして、サブバンドにおいて長さがそれぞれとなるＴＴＩ（Ｔｒａｎｓｍｉｓｓｉｏｎ Ｔｉｍｅ Ｉｎｔｅｒｖａｌ，伝送時間間隔）に分割することにより、多様なサービスニーズを満足させることができる。
【０００４】
従来のＬＴＥ（ｌｏｎｇ Ｔｅｒｍ Ｅｖｏｌｕｔｉｏｎ）システムにおいて、ＴＴＩ長は１ｍｓであり、かつ、１つまたは複数のＰＤＣＣＨ（ｐｈｙｓｉｃａｌ ｄｏｗｎｌｉｎｋ ｃｏｎｔｒｏｌ ｃｈａｎｎｅｌ，物理ダウンリンク制御チャネル）は、ＴＴＩごとの先頭Ｎ個ＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ，直交周波数分割多重）シンボルにおいて伝送されるか、データ領域の１組のＰＲＢ ｐａｉｒ（ＰＲＢペア）において伝送され、ＵＥ（Ｕｓｅｒ Ｅｑｕｉｐｍｅｎｔ）は、望ましい情報により、ＣＳＳ（Ｃｅｌｌ−ｓｐｅｃｉｆｉｃ ｓｅａｒｃｈ ｓｐａｃｅ）またはＵＳＳ（ＵＥ−ｓｐｅｃｉｆｉｃ ｓｅａｒｃｈ ｓｐａｃｅ）において、自分のＰＤＣＣＨを検出する。しかしながら、従来の技術は、当ＴＴＩ長が可変である場合、ＰＤＣＣＨ を送信するための解決策はまだ案出されていない。
【発明の概要】
【発明が解決しようとする課題】
【０００５】
本発明はダウンリンク制御情報の伝送、検出方法及び装置を提供し、動的なＴＴＩにおいて、ダウンリンク制御情報の伝送・検出案を図る。
【課題を解決するための手段】
【０００６】
本発明に係る実施例が提供するダウンリンク制御情報の伝送方法は、
ダウンリンク伝送時間帯におけるリソース割り当て状態を決定するステップであって、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である前記決定ステップと、
少なくとも１つのダウンリンク伝送リソース領域内の所定リソースにおいてダウンリンク制御情報を伝送するステップであって、前記ダウンリンク制御情報は、少なくとも１つの端末が前記ダウンリンク伝送リソース領域においてデータを伝送することを、スケジューリングする前記伝送ステップとを備える。
【０００７】
好ましくは、ダウンリンク制御情報を伝送するための前記所定リソースは、以下のいずれかの１つの方式またはそれらの任意の組み合わせにより決定され、
周波数領域におけるＫ１個のサブキャリア及び時間領域におけるＫ２個のＯＦＤＭシンボルはダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０００８】
好ましくは、前記エレメンタリー伝送エレメントは、Ｎ個のサブキャリアＭ個のＯＦＤＭシンボルより構成されるリソースブロックであり、Ｎ、Ｍは正整数である。
【０００９】
好ましくは、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【００１０】
好ましくは、前記ダウンリンク制御情報には、スケジューリングＵＥのＩＤ及び/またはデータ領域のサイズが含まれる。
【００１１】
好ましくは、前記ダウンリンク制御情報にはアイドル領域のサイズがさらに含まれる。
【００１２】
本発明に係る実施例が提供するダウンリンク制御情報の検出方法は、 
ダウンリンク伝送時間帯における所定リソースにおいて、ダウンリンク制御情報を検出するステップであって、前記ダウンリンク伝送時間帯には、少なくとも１つのシンボルが含まれるか、または、前記ダウンリンク伝送時間帯長がＢｍｓであり、Ｂは正整数である前記検出ステップと、
検出されたダウンリンク制御情報に基づき前記ダウンリンク制御情報により指示されたデータ伝送領域を決定するステップと、
前記データ伝送領域において次のダウンリンク制御情報を検出するステップとを備える。
【００１３】
好ましくは、ダウンリンク制御情報を検出するための前記所定リソースは、以下のいずれかの１つの方式またはそれらの任意の組み合わせにより決定され、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【００１４】
好ましくは、前記エレメンタリー伝送エレメントは、Ｎ個のサブキャリアＭ個のＯＦＤＭシンボルより構成されるリソースブロックであり、Ｎ、Ｍは正整数であり、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、Ｓ１及びＳ２は正整数である。
【００１５】
好ましくは、所定リソースがエレメンタリー伝送エレメントである場合、前記エレメンタリー伝送エレメントに、１つのダウンリンク制御チャネルまたは１つのダウンリンク制御チャネルの一部が含まれる。
【００１６】
好ましくは、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【００１７】
好ましくは、前記ダウンリンク制御情報には、スケジューリングＵＥのＩＤ及び/またはデータ領域のサイズが含まれる。
【００１８】
好ましくは、前記ダウンリンク制御情報にアイドル領域のサイズがさらに含まれる場合、
検出されたダウンリンク制御情報に基づき前記ダウンリンク制御情報により指示されたデータ伝送領域及び/またはアイドル領域を決定するステップと、
前記データ伝送領域及び/またはアイドル領域以外の領域において次のダウンリンク制御情報を検出する。
【００１９】
本発明に係る実施例が提供するダウンリンク制御情報の伝送装置は、 
ダウンリンク伝送時間帯におけるリソース割り当て状態を決定するリソース決定モジュールであって、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である前記決定モジュールと、
少なくとも１つのダウンリンク伝送リソース領域内の所定リソースにおいてダウンリンク制御情報を伝送する伝送モジュールであって、前記ダウンリンク制御情報は、少なくとも１つの端末が前記ダウンリンク伝送リソース領域においてデータを伝送することを、スケジューリングする前記伝送モジュールとを備える。
【００２０】
好ましくは、リソース決定モジュールは、以下のいずれかの方式または任意の組み合わせで、ダウンリンク制御情報を伝送するための前記所定リソースを決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【００２１】
好ましくは、前記エレメンタリー伝送エレメントは、Ｎ個のサブキャリアＭ個のＯＦＤＭシンボルより構成されるリソースブロックであり、Ｎ、Ｍは正整数である。
【００２２】
好ましくは、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【００２３】
好ましくは、前記ダウンリンク制御情報には、スケジューリングＵＥのＩＤ及び/またはデータ領域のサイズが含まれる。
【００２４】
好ましくは、前記ダウンリンク制御情報にはアイドル領域のサイズがさらに含まれる。
【００２５】
本発明に係る実施例が提供するダウンリンク制御情報の検出装置は、 
ダウンリンク伝送時間帯における所定リソースにおいて、ダウンリンク制御情報を検出する検出モジュールであって、前記ダウンリンク伝送時間帯には、少なくとも１つのシンボルが含まれるか、または、前記ダウンリンク伝送時間帯長がＢｍｓであり、Ｂは正整数である前記検出モジュールと、
検出されたダウンリンク制御情報に基づき前記ダウンリンク制御情報により指示されたデータ伝送領域を決定する領域決定モジュールとを、備え
前記検出モジュールは、前記データ伝送領域において次のダウンリンク制御情報をさらに検出する。
【００２６】
好ましくは、さらに、検出モジュールは、以下のいずれかの方式またはその組み合わせで、ダウンリンク制御情報の前記所定リソースへの検出を決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【００２７】
好ましくは、前記エレメンタリー伝送エレメントは、Ｎ個のサブキャリアＭ個のＯＦＤＭシンボルより構成されるリソースブロックであり、Ｎ、Ｍは正整数であり、さらに、検出モジュールは、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、前記Ｓ１及びＳ２は正整数である。
【００２８】
好ましくは、所定リソースがエレメンタリー伝送エレメントである場合、前記エレメンタリー伝送エレメントに、１つのダウンリンク制御チャネルまたは１つのダウンリンク制御チャネルの一部が含まれる。
【００２９】
好ましくは、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【００３０】
好ましくは、前記ダウンリンク制御情報には、スケジューリングＵＥのＩＤ及び/またはデータ領域のサイズが含まれる。
【００３１】
好ましくは、領域決定モジュールュールは、前記ダウンリンク制御情報にアイドル領域のサイズが含まれる場合、検出されたダウンリンク制御情報に基づき前記ダウンリンク制御情報により指示されたデータ伝送領域及アイドル領域を決定し、
検出モジュールは、前記データ伝送領域及び/またはアイドル領域以外の領域において次のダウンリンク制御情報を検出する。
【００３２】
本発明に係る実施例のダウンリンク制御情報の伝送装置は、メモリに格納されたプログラムを読み出すプロセッサと、プロセッサの制御によりデータを送受信する送受信機とを備え、
前記プロセッサは、ダウンリンク伝送時間帯におけるリソース割り当て状態を決定し、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数であり、
前記送受信機は、少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングする。
【００３３】
本発明に係る実施例のダウンリンク制御情報の検出装置は、メモリに格納されたプログラムを読み出すプロセッサと、プロセッサの制御によりデータを送受信する送受信機とを備え、
前記プロセッサは、検出されたダウンリンク制御情報に基づき前記ダウンリンク制御情報により指示されたデータ伝送領域を決定し、
前記送受信機は、ダウンリンク伝送時間帯における所定リソースにおいて、ダウンリンク制御情報を検出し、前記ダウンリンク伝送時間帯には、少なくとも１つのシンボルが含まれるか、または、前記ダウンリンク伝送時間帯長がＢｍｓであり、Ｂは正整数であり、
前記データ伝送領域において次のダウンリンク制御情報を検出する。
【発明の効果】
【００３４】
本発明の有益の効果は以下通りである。
【００３５】
本発明に係る実施例によれば、ＤＬ ｃｏｎｔｒｏｌ ｃｈａｎｎｅｌは指定された固定位置において伝送され、ＵＥは各々指定された固定位置においてＤＬ ｃｏｎｔｒｏｌ ｃｈａｎｎｅｌを検索し、ＤＬ ｇｒａｎｔに含まれる情報に基づいてｄａｔａ ｒｅｇｉｏｎ内の可能のＤＬ ｃｏｎｔｒｏｌ ｃｈａｎｎｅｌ位置を飛ばし、ＤＬ ｃｏｎｔｒｏｌ ｃｈａｎｎｅｌを受信する必要がある次の位置を取得する。本発明は、動的なＴＴＩにおけるダウンリンク制御情報の伝送・検出案を提出するほか、ＤＬ ｃｏｎｔｒｏｌ ｃｈａｎｎｅｌが各々ダウンリンク伝送時間帯における固定位置において伝送することができるようになり、多様な長さのＴＴＩをサポートし、将来多種のサービスタイプをより良くサポートすることができる。
【図面の簡単な説明】
【００３６】
ここの図面は、本発明をよりよく説明するためのものであり、本発明の一部となる。本発明に例示された実施例及びその説明は、本発明を明確にするためであり、本発明を限定するものではない。
【図１】本発明に係る実施例のＦｒａｍｅ ｓｔｒｕｃｔｕｒｅ ｔｙｐｅ １の構成図である。
【図２】本発明に係る実施例のＦｒａｍｅ ｓｔｒｕｃｔｕｒｅ ｔｙｐｅ ２の構成図である。
【図３】本発明に係る実施例のＤｏｗｎｌｉｎｋ ｒｅｓｏｕｒｃｅ ｇｒｉｄを示す図である。
【図４】本発明に係る実施例の基地局側のダウンリンク制御情報の伝送方法のフローチャートである。
【図５】本発明に係る実施例のＵＥ側のダウンリンク制御情報の検出方法のフローチャートである。
【図６】本発明に係る実施例のＵＥがダウンリンク制御情報の所定リソースを検出・受信することを示す図である。
【図７】本発明に係る実施例のＤＬ ｃｏｎｔｒｏｌ ｃｈａｎｎｅｌがｖａｒｉａｂｌｅ ＴＴＩにおける伝送を示す図である。
【図８】本発明に係る実施例のダウンリンク制御情報が指定ＯＦＤＭシンボルじょうの連続分布を示す図である。
【図９】本発明に係る実施例のダウンリンク制御情報が指定ＯＦＤＭシンボル上での分散伝送を示す図である。
【図１０】本発明に係る実施例のダウンリンク制御情報が指定周波数領域位置上での集中伝送を示す図である。
【図１１】本発明に係る実施例のダウンリンク制御情報が指定周波数領域位置上での分散伝送を示す図である。
【図１２】本発明に係る実施例のダウンリンク制御情報の伝送装置の構成図である。
【図１３】本発明に係る実施例のダウンリンク制御情報の検出装置の構成図である。
【図１４】本発明に係る実施例の基地局の構成図である。
【図１５】本発明に係る実施例のＵＥの構成図である。
【発明を実施するための形態】
【００３７】
以下、図面を参照しながら本発明の具体的な実施形態を説明する。
【００３８】
発明者らは、本発明を検討中に、以下のことを確認した。
【００３９】
従来のＬＴＥサブフレーム構成は以下とおりである。
【００４０】
図１はＦｒａｍｅ ｓｔｒｕｃｔｕｒｅ ｔｙｐｅ １の構成図である。図１に示すように、従来のＬＴＥ ＦＤＤ（Ｆｒｅｑｕｅｎｃｙ Ｄｉｖｉｓｉｏｎ Ｄｕｐｌｅｘ，周波数分割デュプレックス）システムにフレーム構成タイプ１（ｆｒａｍｅ ｓｔｒｕｃｔｕｒｅ ｔｙｐｅ １，ＦＳ１と略称）が用いられる。ＦＤＤシステムにおいて、アップリンク及びダウンリンク伝送に異なるキャリア周波数が用いられ、アップリンク及びダウンリンク伝送に同様なフレーム構成が用いられる。キャリアごとに、長さが１０ｍｓである無線フレームに１０個の１ｍｓサブフレームが含まれ、サブフレームごとに、２つの０.５ｍｓスロットに分割される。アップリンク及びダウンリンクデータ伝送のＴＴＩが１ｍｓである。
【００４１】
図２はＦｒａｍｅ ｓｔｒｕｃｔｕｒｅ ｔｙｐｅ ２の構成図である。図２に示すように、従来のＬＴＥ ＴＤＤ（Ｔｉｍｅ Ｄｉｖｉｓｉｏｎ Ｄｕｐｌｅｘ，時分割デュプレックス）システムにはフレーム構成タイプ２（ｆｒａｍｅ ｓｔｒｕｃｔｕｒｅ ｔｙｐｅ ２，ＦＳ２と略称）が用いられる。ＴＤＤシステムにおいて、アップリンク及びダウンリンク伝送には、同様な周波数上の異なるサブフレームまたは異なるスロットが用いられる。ＦＳ２場合の各々１０ｍｓの無線フレームは、２つの５ｍｓのハーフフレームより構成され、ハーフフレームごとに、５つの１ｍｓのサブフレームが含まれる。ＦＳ２場合のサブフレームは、ダウンリンクサブフレームと、アップリンクサブフレームと、スペシャルサブフレームとの３種類に分けられ、各スペシャルサブフレームは、ＤｗＰＴＳ（Ｄｏｗｎｌｉｎｋ Ｐｉｌｏｔ Ｔｉｍｅ Ｓｌｏｔ，ダウンリンク伝送スロット）、ＧＰ（Ｇｕａｒｄ Ｐｅｒｉｏｄ）及びＵｐＰＴＳ（Ｕｐｌｉｎｋ Ｐｉｌｏｔ Ｔｉｍｅ Ｓｌｏｔ，アップリンク伝送スロット）から構成される。ここで、ＤｗＰＴＳにおいて、ダウンリンクパイロット、ダウンリンクサービスデータ及びダウンリンク制御シグナリングが伝送されることができ、ＧＰにはいかなる信号も伝送されない。ＵｐＰＴＳにおいて、ランダムアクセス及びＳＲＳ（Ｓｏｕｎｄｉｎｇ ｒｅｆｅｒｅｎｃｅ Ｓｙｍｂｏｌ）のみが伝送され、アップリンクサービスまたはアップリンク制御情報は伝送できない。ハーフフレームごとに、少なくても１つのダウンリンクサブフレーム及び少なくても１つのアップリンクサブフレーム、及び多くて１つのスペシャルサブフレームが含まれる。ＦＳ２によりサポートする７種のＵＬ/ＤＬサブフレーム構成は表１に示す。
【００４２】
【表１】
2019505129.tif 000003
【００４３】
図３はＤｏｗｎｌｉｎｋ ｒｅｓｏｕｒｃｅ ｇｒｉｄ（ダウンリンクリソース・グリッド）を示す図である。図３に示すように、ダウンリンクリソース粒度に関し、従来のＬＴＥにおいて、時間領域上の最小リソース粒度は１つのＯＦＤＭシンボルであり、周波数領域上の最小リソース粒度は１つのサブキャリアである。
【００４４】
【数１】
2019505129.tif 000004
は１つのエレメンタリー・リソース・エレメントＲＥ（ｒｅｓｏｕｒｃｅ ｅｌｅｍｅｎｔ，リソース・エレメント）のインデックスである。ここで、
【数２】
2019505129.tif 000005
ＰＲＢ（ｐｈｙｓｉｃａｌ ｒｅｓｏｕｒｃｅ ｂｌｏｃｋ，物理リソースブロック）はより高次元のリソース・エレメントであり、
【数３】
2019505129.tif 000006
個のＲＥより構成される。１つのｓｕｂｆｒａｍｅに１つのＰＲＢ ｐａｉｒがあり、ＰＲＢ ｐａｉｒは、データリソース割り当ての基本単位である。
【００４５】
以下、従来のＬＴＥダウンリンク制御チャネルを説明する。
【００４６】
１、ＰＤＣＣＨ
ＬＴＥシステムのＰＤＣＣＨは、スケジューリング情報及び他の制御情報を搬送する。各々ダウンリンクサブフレームの制御領域に複数のＰＤＣＣＨがあり、制御領域のサイズは、ＰＣＦＩＣＨ（Ｐｈｙｓｉｃａｌ Ｃｏｎｔｒｏｌ Ｆｏｒｍａｔ Ｉｎｄｉｃａｔｏｒ Ｃｈａｎｎｅｌ，物理制御フォーマット指示チャネル）により決められ、１~４つのＯＦＤＭシンボルを占有する。１つの制御チャネルの伝送には１つのＣＣＥ（ｃｏｎｔｒｏｌ ｃｈａｎｎｅｌ ｅｌｅｍｅｎｔ，制御チャネル・エレメント）または複数連続のＣＣＥが占有され、各々ＣＣＥは９つのＲＥＧ（ｒｅｓｏｕｒｃｅ ｅｌｅｍｅｎｔ ｇｒｏｕｐ，リソース・エレメント組）より構成され、かつ、ＰＤＣＣＨのＣＣＥに含まれるＲＥＧは、ＰＣＦＩＣＨ及びＰＨＩＣＨ（Ｐｈｙｓｉｃａｌ ｈｙｂｒｉｄ−ＡＲＱ ｉｎｄｉｃａｔｏｒ ｃｈａｎｎｅｌ；ＨＡＲＱ：Ｈｙｂｒｉｄ Ａｕｔｏｍａｔｉｃ Ｒｅｐｅａｔ Ｒｅｑｕｅｓｔ）の搬送に用いられていないＲＥＧである。ＰＤＣＣＨは多種のｆｏｒｍａｔ（フォーマット）をサポートすることにより異なるニーズに応じられる。具体的に、サポートするｆｏｒｍａｔはず２に示す。
【００４７】
【表２】
2019505129.tif 000007
【００４８】
ＵＥは、ｎｏｎ−ＤＲＸ（ＤＲＸ：Ｄｉｓｃｏｎｔｉｎｕｏｕｓ Ｒｅｃｅｐｔｉｏｎ）サブフレームにおいてＰＤＣＣＨ ｃａｎｄｉｄａｔｅ（候補）集合を監視し、即ち、ニーズに応じてＤＣＩ ｆｏｒｍａｔ（ＤＣＩフォーマット；ＤＣＩ：Ｄｏｗｎｌｉｎｋ Ｃｏｎｔｒｏｌ Ｉｎｄｉｃａｔｏｒ）を監視することによりｌ検索スペース内の各ＰＤＣＣＨへの復号を試す。検索スペースは、ＵＥ−ｓｐｅｃｉｆｉｃ（ＵＥ-ｓｐｅｃｉｆｉｃ）及びＣｅｌｌ−ｓｐｅｃｉｆｉｃに分けられ、異なる検索スペース内の可能のＰＤＣＣＨ ｃａｎｄｉｄａｔｅ数は表３に示す。
【００４９】
【表３】
2019505129.tif 000008
【００５０】
アグリゲーション・レベル
【００５１】
【数４】
2019505129.tif 000009
【００５２】
の検索スペース
【００５３】
【数５】
2019505129.tif 000010
【００５４】
は複数のＰＤＣＣＨ ｃａｎｄｉｄａｔｅより構成され、１つのＰＤＣＣＨ ｃａｎｄｉｄａｔｅに対応するＣＣＥインデックスは、下記の数式とおりである。
【００５５】
【数６】
2019505129.tif 000011
【００５６】
ここで、
【００５７】
【数７】
2019505129.tif 000012
【００５８】
はサブフレームｋ内のＰＤＣＣＨを搬送するＣＣＥ数であり、
【数８】
2019505129.tif 000013
は
【数９】
2019505129.tif 000014
に定義され、ここで、
【数１０】
2019505129.tif 000015
は１つの無線フレーム内のｓｌｏｔ（スロット）インデックスである。
【００５９】
基地局は、ＰＤＣＣＨのためにリソースを割り当てる場合、異なるＰＤＣＣＨ間の衝突を避けるため、即ち、あるＣＣＥまたはいくつかのＣＣＥがＰＤＣＣＨにより占有されれば、当該ＣＣＥを他のＰＤＣＣＨを割り当てられない。
【００６０】
２、ＥＰＤＣＣＨ
ＰＤＣＣＨの容量を拡張するため、３ＧＰＰ Ｒｅｌ−１１（リーリス１１）にＥＰＤＣＣＨ（Ｅｎｈａｎｃｅｄ Ｐｈｙｓｉｃａｌ Ｄｏｗｎｌｉｎｋ Ｃｏｎｔｒｏｌ Ｃｈａｎｎｅｌ）が導入される。ＥＰＤＣＣＨは、サブフレーム内のデータ領域において伝送され、ＰＤＣＣＨの伝送スペースを占有することができない。ＰＤＣＣＨと類似し、ＥＲＥＧ（Ｅｎｈａｎｃｅｄ ｒｅｓｏｕｒｃｅ ｅｌｅｍｅｎｔ ｇｒｏｕｐ）及びＥＣＣＥ（Ｅｎｈａｎｃｅｄ ｃｏｎｔｒｏｌ ｃｈａｎｎｅｌ ｅｌｅｍｅｎｔ）の概念が導入され、詳しくは以下とおりである。
【００６１】
１）、ＥＲＥＧのリソースマッピング
１つのＰＲＢ ｐａｉｒにいつも１６個のＥＲＥＧが含まれ、インデックスは０~１５であり、ＤＭＲＳ ＡＰ（ＤＭＲＳ：ｄｅｍｏｄｕｌａｔｉｏｎ ｒｅｆｅｒｅｎｃｅ ｓｉｇｎａｌ，ＡＰ：Ａｃｃｅｓｓ Ｐｏｉｎｔ）{１０７,１０８,１０９,１１０}（ｎｏｒｍａｌ ＣＰ）またはＤＭＲＳ ＡＰ{１０７,１０８}（ｅｘｔｅｎｄｅｄ ＣＰ）を含まない残りＲＥは、周波数領域先時間領域後の原則で０~１５の順番で検索し、ここで、インデックスがiである全ＲＥよりインデックスがｉであるＥＲＥＧを構成する。
【００６２】
２）、ＥＣＣＥのリソースマッピング
Ｌｏｃａｌｉｚｅｄ ＥＣＣＥ（局所のＥＣＣＥ）からＥＲＥＧへのリソースマッピングにおいて、ｎ番目のｌｏｃａｌｉｚｅｄ ＥＣＣＥリソースマッピングは以下とおりである。
【００６３】
ＥＲＥＧインデックスは、
【数１１】
2019505129.tif 000016
である。
【００６４】
所在の論理的なＰＲＢ ｐａｉｒのインデックスは、
【数１２】
2019505129.tif 000017
である。
【００６５】
ここで、
【数１３】
2019505129.tif 000018
はＰＲＢ ｐａｉｒに含まれるＥＣＣＥ数を示す。
【００６６】
【数１４】
2019505129.tif 000019
【００６７】
は、１つのＥＣＣＥに含まれるＥＲＥＧ数を示す。
【００６８】
ここで、
【数１５】
2019505129.tif 000020
Ｄｉｓｔｒｉｂｕｔｅｄ ＥＣＣＥ（分布ＥＣＣＥ）からＥＲＥＧへのリソースマッピングにおいて、ｎ番目のｄｉｓｔｒｉｂｕｔｅｄ ＥＣＣＥリソースマッピングは以下とおりである。
【００６９】
ＥＲＥＧインデックスは、
【数１６】
2019505129.tif 000021
である。
【００７０】
所在の論理的なＰＲＢ ｐａｉｒのインデックスは、
【数１７】
2019505129.tif 000022
である。
【００７１】
ここで、
【数１８】
2019505129.tif 000023
は１つのＥＣＣＥに含まれるＥＲＥＧ数を示す。
【００７２】
【数１９】
2019505129.tif 000024
は１つのＥ−ＰＤＣＣＨ ｓｅｔ（集合）に含まれるＰＲＢ ｐａｉｒに含まれるＥＣＣＥ数を示す。
【００７３】
【数２０】
2019505129.tif 000025
はＰＲＢ ｐａｉｒに含まれるＥＣＣＥ数を示す。ここで、
【００７４】
【数２１】
2019505129.tif 000026
【００７５】
現在、標準にＥ−ＰＤＣＣＨ ｓｅｔがサポートするアグリゲーション・レベルの集合は決定され、Ｅ−ＰＤＣＣＨ ｓｅｔタイプ、サブフレームタイプ及び１つのＰＲＢ ｐａｉｒに含まれるＥ−ＰＤＣＣＨ伝送に用いられるＲＥ数などの要因と関連する。
【００７６】
Ｅ−ＰＤＣＣＨのブラインド検出回数は、プロトコルに予約した方式定義により、シナリオに応じて、Ｅ−ＰＤＣＣＨ ｃａｎｄｉｄａｔｅの区分テーブルのとおりで、分けられる。
【００７７】
Ｅ−ＰＤＣＣＨ検索スペースの数式は以下とおりである。
【００７８】
【数２２】
2019505129.tif 000027
ここで、
【数２３】
2019505129.tif 000028
【００７９】
本キャリアのスケジューリングを行う場合、
【数２４】
2019505129.tif 000029
【００８０】
インターキャリアスケジューリングを行う場合、
【数２５】
2019505129.tif 000030
はキャリア指示情報である。
【００８１】
【数２６】
2019505129.tif 000031
はＰＲＢ−ｓｅｔであり、 
【００８２】
【数２７】
2019505129.tif 000032
はアグリゲーション・レベルであり、
【００８３】
【数２８】
2019505129.tif 000033
【００８４】
即ち、従来のＬＴＥシステムにおいて、ＴＴＩ長を１ｍｓにし、かつ、１つまたは複数のＰＤＣＣＨは、各々ＴＴＩの先頭Ｎ個のＯＦＤＭシンボルにおいて伝送されるか、またはデータ領域の１組ＰＲＢ ｐａｉｒにおいて伝送される。ＵＥは、望ましい情報に基づいて、ＣＳＳまたはＵＳＳにおいて、自身のＰＤＣＣＨをブラインド検出する。
【００８５】
しかしながら、当ＴＴＩ長が可変である場合のＰＤＣＣＨ伝送案は、従来技術においてまだ案出されていな。
【００８６】
換言すれば、モバイル技術の発展と伴い、今後モバイル通信システムに対し、より低いネットワーク遅延及びより多種のサービスタイプへのサポートを提供することを求めるため、サービスニーズに応じて、ＴＴＩ長及びＴＴＩの間占有するリソースの設定は、技術発展のトレンドになる。しかし、動的なＴＴＩにおいてどのようにダウンリンク制御情報を伝送するのかは、まだ、対応案がない。
【００８７】
この事実に鑑みて、本発明に係る実施例は、動的なＴＴＩにおける、ダウンリンク制御情報の伝送・検出方法を提供する。
【００８８】
説明の際、ネットワーク側と端末側の協働実施の視点から説明し、基地局側で伝送プロセスを説明する一方、ＵＥ側において検出プロセスを説明して、さらに、二者が協働する実施例を挙げて、本発明に係る実施例の技術案の実施への理解を図る。これは二者が必ず協働実施することを意味するわけではなく、実に、ネットワーク側と端末側がそれぞれ独立的に実施する場合も、ネットワーク側、端末側における問題点を解決できるが、ただし、二者が協働する場合、一層優れた技術効果を得る。
【００８９】
図４は基地局側のダウンリンク制御情報の伝送方法のフローチャートであり、図に示すように、以下のステップを備える。 
【００９０】
ステップ４０１において、ダウンリンク伝送時間帯におけるリソース割り当て状態を決定し、前記リソース割り当ては、少なくとも１つのダウンリンク伝送リソース領域の割り当てを含む。異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である。
【００９１】
ステップ４０２において、少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングする。
【００９２】
実施の際、ダウンリンク制御情報には、スケジューリングＵＥのＩＤ及び/またはデータ領域のサイズが含まれることができる。
【００９３】
実施の際、ダウンリンク制御情報には、アイドル領域のサイズがさらに含まれる。具体的な実施は、下記端末側の実施において説明する。
【００９４】
具体的に実施の際、ダウンリンク制御情報を伝送するための前記所定リソースは、以下のいずれかの方式またはその組み合わせで出決定される。
【００９５】
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【００９６】
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【００９７】
実施中、基地局は、プリアンブル・シーケンス通知を前もって送信することもできる。具体的に、基地局は、プリアンブル・シーケンスを前もって送信することにより、１つまたは１組のＵＥがダウンリンク伝送時間帯においてダウンリンク制御情報を受信するように、通知する。前もってい送信したプリアンブル・シーケンスは、ダウンリンク制御情報を受信すべきＵＥまたはＵＥ ｇｒｏｕｐに通知され、ＵＥエネルギー消費を低減する１つの手段として認識してもよい。
【００９８】
具体的に実施の際、エレメンタリー伝送エレメントは、Ｎ個のサブキャリアＭ個のＯＦＤＭシンボルより構成されるリソースブロックであり、Ｎ、Ｍは正整数である。
【００９９】
具体的に実施の際、所定リソースのリソース位置がダウンリンク伝送時間帯における特定周波数領域位置である場合、前記周波数領域位置はダウンリンク伝送時間帯におけるＹ個のＳＣ（ｓｕｂｃａｒｒｉｅｒ Ｃａｒｒｉｅｒ，サブキャリア）であり、Ｙ個のＳＣは連続的であるかまたは離散的であり、Ｙは正整数である。
【０１００】
図５はＵＥ側のダウンリンク制御情報の検出方法のフローチャートであり、図５に示すように、以下のステップを備える。
【０１０１】
ステップ５０１において、ダウンリンク伝送時間帯における所定リソースにおいて、ダウンリンク制御情報を検出する。前記ダウンリンク伝送時間帯には、少なくとも１つのシンボルが含まれるか、または、前記ダウンリンク伝送時間帯長がＢｍｓであり、Ｂは正整数である。
【０１０２】
ステップ５０２において、検出されたダウンリンク制御情報に基づき前記ダウンリンク制御情報により指示されたデータ伝送領域を決定する。
【０１０３】
ステップ５０３において、前記データ伝送領域において次のダウンリンク制御情報を検出する。
【０１０４】
具体的に実施の際、当該基地局の全ＵＥまたは指定された１つや１組のＵＥは、前記所定リソースにおいて受信したダウンリンク制御情報を検出した場合、前記ダウンリンク制御情報により指示されたデータ伝送領域に基づいて、受信したダウンリンク制御情報を検出すべき次の所定リソース位置を把握することができる。即ち、ＵＥは、前記制御情報が指示するデータ伝送領域において、受信したダウンリンク制御情報を検出しようと試行しない。
【０１０５】
実施の際、前記ダウンリンク制御情報には、スケジューリングＵＥのＩＤ及び/またはデータ領域のサイズが含まれる。
【０１０６】
実施の際、前記ダウンリンク制御情報にアイドル領域のサイズがさらに含まれる場合、検出されたダウンリンク制御情報に基づき前記ダウンリンク制御情報により指示されたデータ伝送領域及び/またはアイドル領域を決定する。
【０１０７】
ここで、検出された１番目のダウンリンク制御情報に基づいて前記ダウンリンク制御情報により指示されたデータ伝送領域及び/またはアイドル領域を決定してもよく、検出された２番目、３番目のダウンリンク制御情報などに基づいて、前記ダウンリンク制御情報により指示されたデータ伝送領域及び/またはアイドル領域を決定してもよい。具体的に検出されたどちらダウンリンク制御情報で前記ダウンリンク制御情報により指示されたデータ伝送領域及び/またはアイドル領域を決定するのかについて、限定しない。
【０１０８】
前記データ伝送領域及び/またはアイドル領域以外の領域において次のダウンリンク制御情報を検出する。
【０１０９】
具体的に、当該案は、ダウンリンク伝送時間帯に大量なアイドルリソースが存在し、データ伝送しない場合を前提とし、即ち、ダウンリンク伝送時間帯に、一部のリソースがＵＥのデータ伝送のために割り当てられていない場合、アイドルリソースの開始位置でダウンリンク制御情報を伝送する必要がある。制御情報には、アイドルリソースに占有された時間・周波数領域リソース領域が含まれる。前記ダウンリンク制御情報を受信した全ＵＥは、前記ダウンリンク制御情報に含まれるアイドルリソースに占有された時間・周波数リソース領域情報に基づいて、ダウンリンク制御情報を受信する必要が兄時間・周波数リソース領域位置を把握することにより、端末エネルギー消費を低減することができる。
【０１１０】
実施の際、全アイドル領域であっても、基地局及び端末側の行為を同様にすることもできる。ダウンリンク制御情報がいつも所定の位置に送信されるため、端末はこれらのダウンリンク制御情報に基づいて、ダウンリンク制御情報を受信する必要がない次の領域を把握することができる。さもないと、従来技術のままであれば、端末は、各々所定位置において、ダウンリンク制御情報を受信しようと試す必要がある。たとえば、ダウンリンク伝送時間帯における１番目の所定位置においてダウンリンク制御情報を送信し、かつ、当該情報にアイドル領域位置が含まれる。ＵＥは、当該情報により、その後、ダウンリンク制御情報を受信する必要がある所定位置を飛ばす。このような行為は、ＵＥ側エネルギー消費を低減することができる。
【０１１１】
具体的に実施の際、前記ダウンリンク制御情報に含まれる内容に基づいて、自分に対応するダウンリンク制御情報を取得し、前記自分に対応するダウンリンク制御情報に基づいて、ダウンリンクデータ伝送を行う。
【０１１２】
ダウンリンク制御情報は、いつも前記所定リソースの最小インデックスのサブキャリア及び最小インデックスのＯＦＤＭシンボルから、マッピングを始める。ダウンリンク制御情報には、少なくともスケジューリングされたＵＥのＩＤ及びデータ領域のサイズが含まれる。
【０１１３】
実施の際、ダウンリンク制御情報を検出するための前記所定リソースは、以下のいずれかの１つの方式またはそれらの任意の組み合わせにより決定され、
【０１１４】
１、周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【０１１５】
２、所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０１１６】
具体的に、前記エレメンタリー伝送エレメントは、Ｎ個のサブキャリアＭ個のＯＦＤＭシンボルより構成されるリソースブロックであり、Ｎ、Ｍは正整数である。
【０１１７】
具体的に、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出する。前記Ｓ１及びＳ２は正整数である。
【０１１８】
具体的に実施の際、図６はＵＥがダウンリンク制御情報を検出・受信するための所定リソースを示す図である。図６に示すように、所定リソースは、Ｎ個のサブキャリアＭ個のＯＦＤＭシンボルより構成されたエレメンタリー伝送エレメントである。ＵＥは、周波数領域においてＳ１個のエレメンタリー伝送エレメント、時間領域においてＳ２個のエレメンタリー伝送エレメントを粒度としてに、ダウンリンク制御情報を検出・受信する。Ｓ１及びＳ２は正整数である。
【０１１９】
具体的に、所定リソースがエレメンタリー伝送エレメントである場合、前記エレメンタリー伝送エレメントに、１つのダウンリンク制御チャネルまたは１つのダウンリンク制御チャネルの一部が含まれる。
【０１２０】
具体的に、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【０１２１】
具体的に実施の際、１つのダウンリンク伝送時間帯における所定時間・周波数位置においてダウンリンク制御情報を検出する。前記ダウンリンク伝送時間帯には、Ａ個のシンボルまたは、長さＢｍｓが含まれる。たとえば、ダウンリンク伝送時間帯における先頭Ｘ１個のシンボル上の特定周波数領域リソースにおいてダウンリンク制御情報（ｌｅｇａｃｙ ＰＤＣＣＨと類似）を検出し、ダウンリンク制御情報は、周波数領域において集中的にまたは分散的に送信される。または、前記ダウンリンク伝送時間帯における特定周波数領域リソースにおいて、前記ダウンリンク伝送時間帯の全長をを占有して送信される（ＥＰＤＣＣＨ方式）。前記特定周波数領域リソースにおいて、Ｙ個のＳＣが１組であり、Ｙ個のＳＣは連続してもよく離散してもよい。
【０１２２】
以下、実例で説明する。
【０１２３】
実施例１：
図７はＤＬ ｃｏｎｔｒｏｌ ｃｈａｎｎｅｌのｖａｒｉａｂｌｅ ＴＴＩにおける伝送を示す図である。図７に示す実例は、ＤＬ ｃｏｎｔｒｏｌ ｃｈａｎｎｅｌのｖａｒｉａｂｌｅ ＴＴＩにおける伝送えある。ここで、Ｓ１及びＳ２が０であると仮説する。図に示すように、ダウンリンク伝送時間帯においてＺ個の連続なＯＦＤＭシンボルがあり、ＲＵ（ｒｅｓｏｕｒｃｅ ｕｎｉｔ，リソース・エレメント）は、Ｎ個のサブキャリアとＭ個のＯＦＤＭより構成されたエレメンタリー伝送エレメントである。
【０１２４】
ＤＬ Ｃｏｎｔｒｏｌ ｃｈａｎｎｅｌにより占有された時間・周波数リソースは、前もってＵＥに通知する必要があり、Ｋ１個のＲＵ及びＫ２個のＯＦＤＭシンボルである。１つまたは１組または地局に属する全ＵＥは、ダウンリンク伝送時間帯内のインデックスが最小であるＲＵから、ＤＬ ｃｏｎｔｒｏｌ ｃｈａｎｎｅｌを検出・受信する。
【０１２５】
ＤＬ ｃｏｎｔｒｏｌ ｃｈａｎｎｅｌは、ＲＵにおいて１番目のＲＥからＲＵの一部または全部を占有する。１つのＵＥまたは１組のＵＥは、前述の全部可能のＲＵにおいて、ＤＬ ｃｏｎｔｒｏｌ ｃｈａｎｎｅｌを検出・受信する動作を試行する。ＤＬ ｇｒａｎｔ（ダウンリンクスケジューリング情報）に含まれる情報に基づいて、次のデータ伝送領域のサイズを取得する。ＤＬ ｇｒａｎｔスケジューリングされたＵＥは、割り当てられたデータ伝送領域においてデータを伝送し、ダウンリンク制御情報を受信したＵＥは、前記ダウンリンク制御情報により指示されたデータ伝送領域内の全ＲＵにおいて、ＤＬ ｃｏｎｔｒｏｌ ｃｈａｎｎｅｌを受信しようと試行しない。ＤＬ ｇｒａｎｔスケジューリングされていないＵＥもｄａｔａ ｒｅｇｉｏｎ（データ領域）割り当て情報フィールドにより、ＤＬ ｃｏｎｔｒｏｌ ｃｈａｎｎｅｌの受信を試す次のＲＵ位置を把握することができ、ｄａｔａ ｒｅｇｉｏｎないの全ＲＵを飛ばす。前記ＤＬ ｃｏｎｔｒｏｌ ｃｈａｎｎｅｌの受信を試す次のＲＵ位置以下の方式で取得することができる。
【０１２６】
具体的に、ＤＬ ｃｏｎｔｒｏｌ ｃｈａｎｎｅｌを検出・受信したＲＵインデックスがＣであり、かつＲＵ内の１番目のＯＦＭＤシンボルが前記ダウンリンクデータ伝送時間帯のインデックスがＤであれば、ＵＥは、ＤＬ ｇｒａｎｔに示すリソーススケジューリング情報（Ｎ個のＲＵ）に基づいて、現在のＲＵインデックスと加算して、ＤＬ ｃｏｎｔｒｏｌ ｃｈａｎｎｅｌをブラインド検出するＲＵ位置が（Ｃ+Ｎ，Ｄ）より小さくないと算出した。時間領域先周波数領域後の順でブラインド検出を行う。
【０１２７】
ＤＬ ｃｏｎｔｒｏｌ ｃｈａｎｎｅｌを受信したＲＵインデックスがCであり、かつ当該ＲＵ内の１番目のＯＦＤＭシンボルが前記ダウンリンク伝送時間帯内のインデックスがＤであれば、ＵＥは、ＤＬ ｇｒａｎｔにしめされたリソーススケジューリング情報（Ｍ個のＯＦＤＭシンボル）に基づき、現在ＯＦＤＭシンボルインデックスと加算し、ＤＬ ｃｏｎｔｒｏｌ ｃｈａｎｎｅｌをブラインド検出する次のＲＵ位置が（Ｃ，Ｄ+Ｍ）より小さくないと算出した。時間領域先周波数領域後の順でブラインド検出を行う。
【０１２８】
実施例２：
図８はダウンリンク制御情報が指定されたＯＦＤＭシンボルにおいて連続的に分布された場合を示す図である。図９は、ダウンリンク制御情報が指定されたＯＦＤＭシンボルにおいて分散的に分布された場合を示す図である。図に示すように、ダウンリンク制御情報は、指定されたＯＦＤＭシンボルにおいて連続的に分布されることもでき、指定されたＯＦＤＭシンボルにおいて分散的に分布されて、伝送されることもできる。
【０１２９】
ダウンリンク伝送時間帯において、先頭Ｘ１個のＯＦＤＭシンボルにおいてダウンリンク制御情報を伝送する。ダウンリンク制御情報は、前記Ｘ１個のＯＦＤＭの特定周波数領域位置において伝送されることができる。
【０１３０】
前記特定周波数領域位置は、周波数領域において連続的に分布されてもよく、均一に全バンドに分布されてもよい。Ｘ１個のＯＦＤＭシンボルに１つまたは複数の制御情報が含まれ、また、制御情報により、スケジューリングユーザーのためにダウンリンク伝送時間帯内のリソースを割り当てて、データ伝送に用いられる。前記ダウンリンク制御情報を受信したＵＥは、前記ダウンリンク制御情報により割り当てられたｄａｔａ ｒｅｇｉｏｎを飛ばすことができ、ｄａｔａ ｒｅｇｉｏｎ内の、ダウンリンク制御情報が存在可能の位置においてダウンリンク制御情報を検出・受信する必要がない。
【０１３１】
実施例３：
図１０はダウンリンク制御情報が指定された周波数領域位置において集中に伝送される場合を示す図であり、図１１はダウンリンク制御情報が指定された周波数領域位置において分散に伝送される場合を示す図である。図に示すように、ダウンリンク制御情報は、指定された周波数領域位置において、集中的に伝送されてもよく、指定された周波数領域位置において分散に伝送されてもよい。
【０１３２】
ダウンリンク伝送時間帯において、制御情報は、前記ダウンリンク伝送時間帯において、固定の周波数領域位置におい伝送され、周波数領域上のＹ個のサブキャリアを占有し、かつ、時間領域において、ダウンリンク伝送時間帯における全部のＯＦＤＭシンボルを占有する。
【０１３３】
ダウンリンク制御情報は、集中的にまたは分散的に伝送されることができる。１つのダウンリンク制御情報は、１つまたは複数の前記固定の周波数領域位置を占有する。さらに、前記ダウンリンク制御情報により、スケジューリングされたユーザーのためにダウンリンク伝送時間帯内のリソースを割り当てて、データ伝送に用いられる。前記ダウンリンク制御情報を受信したＵＥは、前記ダウンリンク制御情報により割り当てられたｄａｔａ ｒｅｇｉｏｎを飛ばして、ｄａｔａ ｒｅｇｉｏｎ内の、ダウンリンク制御情報が存在可能の位置において、ダウンリンク制御情報を検出・受信する必要がない。
【０１３４】
同様な発明発想で、本発明に係る実施例は、ダウンリンク制御情報の伝送装置、ダウンリンク制御情報の検出装置をさらに提供する。これら装置の課題解決原理がダウンリンク制御情報の伝送方法、ダウンリンク制御情報の検出方法と類似するため、これら装置の実施は、方法の実施を参考することができ、繰り返して説明しない。
【０１３５】
図１２はダウンリンク制御情報の伝送装置の構成図であり、当該装置は、リソース決定モジュール１２０１と、伝送モジュール１２０２とを備える。
【０１３６】
前記リソース決定モジュール１２０１は、ダウンリンク伝送時間帯におけるリソース割り当て状態を決定する。前記リソース割り当ては、少なくとも１つのダウンリンク伝送リソース領域の割り当てを含む異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である。
【０１３７】
前記伝送モジュール１２０２は、少なくとも１つのダウンリンク伝送リソース領域内の所定リソースにおいてダウンリンク制御情報を伝送する。前記ダウンリンク制御情報は、少なくとも１つの端末が前記ダウンリンク伝送リソース領域においてデータを伝送することを、スケジューリングする。
【０１３８】
実施の際、リソース決定モジュールは、以下のいずれかの方式または任意の組み合わせで、ダウンリンク制御情報を伝送するための前記所定リソースを決定する。
【０１３９】
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【０１４０】
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０１４１】
実施の際、前記エレメンタリー伝送エレメントは、Ｎ個のサブキャリアＭ個のＯＦＤＭシンボルより構成されるリソースブロックであり、Ｎ、Ｍは正整数である。
【０１４２】
実施の際、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【０１４３】
実施の際、前記ダウンリンク制御情報には、スケジューリングＵＥのＩＤ及び/またはデータ領域のサイズが含まれる。
【０１４４】
実施の際、前記ダウンリンク制御情報にはアイドル領域のサイズがさらに含まれる。
【０１４５】
図１３はダウンリンク制御情報の検出装置の構成図であり、前記装置は、検出モジュール１３０１と、領域決定モジュール１３０２とを備える。
【０１４６】
前記検出モジュール１３０１は、ダウンリンク伝送時間帯における所定リソースにおいて、ダウンリンク制御情報を検出する。前記ダウンリンク伝送時間帯には、少なくとも１つのシンボルが含まれるか、または、前記ダウンリンク伝送時間帯長がＢｍｓであり、Ｂは正整数である。
【０１４７】
前記領域決定モジュール１３０２は、検出されたダウンリンク制御情報に基づき前記ダウンリンク制御情報により指示されたデータ伝送領域を決定する。
【０１４８】
さらに、前記検出モジュール１３０１は、前記データ伝送領域において次のダウンリンク制御情報を検出する。
【０１４９】
実施の際、検出モジュールは、以下のいずれかの方式またはその組み合わせで、ダウンリンク制御情報の前記所定リソースへの検出を決定する。
【０１５０】
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【０１５１】
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０１５２】
実施の際、前記エレメンタリー伝送エレメントは、Ｎ個のサブキャリアＭ個のＯＦＤＭシンボルより構成されるリソースブロックであり、Ｎ、Ｍは正整数である。
【０１５３】
実施の際、検出モジュールは、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出する。ここで、Ｓ１及びＳ２は正整数である。
【０１５４】
実施の際、所定リソースがエレメンタリー伝送エレメントである場合、前記エレメンタリー伝送エレメントに、１つのダウンリンク制御チャネルまたは１つのダウンリンク制御チャネルの一部が含まれる。
【０１５５】
実施の際、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【０１５６】
実施の際、前記ダウンリンク制御情報には、スケジューリングＵＥのＩＤ及び/またはデータ領域のサイズが含まれる。
【０１５７】
実施の際、領域決定モジュールュールは、前記ダウンリンク制御情報にアイドル領域のサイズが含まれる場合、検出されたダウンリンク制御情報に基づき前記ダウンリンク制御情報により指示されたデータ伝送領域及アイドル領域を決定する。
【０１５８】
さらに、前記検出モジュールは、前記データ伝送領域及び/またはアイドル領域以外の領域において次のダウンリンク制御情報を検出する。
【０１５９】
説明の便宜を図るため、前記装置の各部位及び機能をモジュールやユニットに分割して説明する。もちろん、本発明を実施する際に、各モジュールやユニッを１つまたは複数のソフトウェアやハードウェアに格納して実施してもよい。
【０１６０】
発明に係る実施例の技術案を実施する場合、以下通りである。
【０１６１】
図１４は基地局の構成図である。図に示すように、基地局は、メモリ１４２０に格納されたプログラムを読み出すプロセッサ１４００と、メモリ１４２０と、プロセッサ１４００の制御によりデータを送受信する送受信機１４１０とを備える。
【０１６２】
前記プロセッサ１４００は、ダウンリンク伝送時間帯におけるリソース割り当て状態を決定する。前記リソース割り当ては、少なくとも１つのダウンリンク伝送リソース領域の割り当てを含む。異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である。
【０１６３】
前記送受信機１４１０は、少なくとも１つのダウンリンク伝送リソース領域内の所定リソースにおいてダウンリンク制御情報を伝送する。前記ダウンリンク制御情報は、少なくとも１つの端末が前記ダウンリンク伝送リソース領域においてデータを伝送することを、スケジューリングする。
【０１６４】
実施の際、ダウンリンク制御情報を伝送するための前記所定リソースは、以下のいずれかの１つの方式またはそれらの任意の組み合わせにより決定される。
【０１６５】
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【０１６６】
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０１６７】
実施の際、前記エレメンタリー伝送エレメントは、Ｎ個のサブキャリアＭ個のＯＦＤＭシンボルより構成されるリソースブロックであり、Ｎ、Ｍは正整数である。
【０１６８】
実施の際、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【０１６９】
実施の際、前記ダウンリンク制御情報には、スケジューリングＵＥのＩＤ及び/またはデータ領域のサイズが含まれる。
【０１７０】
実施の際、前記ダウンリンク制御情報にはアイドル領域のサイズがさらに含まれる。
【０１７１】
図１４において、バスアーキテクチャは、いずれ数の相互接続するバス及びブリッジを備える。具体的に、プロセッサ１４００が代表となる１つまたは複数のプロセッサ及びメモリ１４２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１４１は、複数の部品であることができ、即ち、送信機及び受信機を備え、伝送媒体を介して他の装置と通信するユニットを提供する。プロセッサ１４００は、バズアーキテクチャ及び通常の処理を監視し、メモリ１４２０はプロセッサ１４００が動作する際に利用するデータを記憶することができる。
【０１７２】
図１５はＵＥの構成図であり、前記ＵＥは、メモリ１５２０に格納されたプログラムを読み出すプロセッサ１５００と、プロセッサ１５００の制御によりデータを送受信する送受信機１５１０とを備える。
【０１７３】
前記プロセッサ１５００は、検出されたダウンリンク制御情報に基づき前記ダウンリンク制御情報により指示されたデータ伝送領域を決定する。
【０１７４】
前記送受信機１５１０は、ダウンリンク伝送時間帯における所定リソースにおいて、ダウンリンク制御情報を検出する。前記ダウンリンク伝送時間帯には、少なくとも１つのシンボルが含まれるか、または、前記ダウンリンク伝送時間帯長がＢｍｓであり、Ｂは正整数である。前記データ伝送領域において次のダウンリンク制御情報を検出する。
【０１７５】
実施の際、ダウンリンク制御情報を検出するための前記所定リソースは、以下のいずれかの１つの方式またはそれらの任意の組み合わせにより決定される。
【０１７６】
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定する。
【０１７７】
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置である。
【０１７８】
実施の際、前記エレメンタリー伝送エレメントは、Ｎ個のサブキャリアＭ個のＯＦＤＭシンボルより構成されるリソースブロックであり、Ｎ、Ｍは正整数である。
【０１７９】
実施の際、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、ここで、前記Ｓ１及びＳ２は正整数である。
【０１８０】
実施の際、所定リソースがエレメンタリー伝送エレメントである場合、前記エレメンタリー伝送エレメントに、１つのダウンリンク制御チャネルまたは１つのダウンリンク制御チャネルの一部が含まれる。
【０１８１】
実施の際、所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数である。
【０１８２】
実施の際、前記ダウンリンク制御情報には、スケジューリングＵＥのＩＤ及び/またはデータ領域のサイズが含まれる。
【０１８３】
実施の際、前記ダウンリンク制御情報にアイドル領域のサイズがさらに含まれる場合、検出されたダウンリンク制御情報に基づき前記ダウンリンク制御情報により指示されたデータ伝送領域及アイドル領域を決定し、前記データ伝送領域及び/またはアイドル領域以外の領域において次のダウンリンク制御情報を検出する。
【０１８４】
図１５において、バスアーキテクチャは、いずれ数の相互接続するバス及びブリッジを備える。具体的に、プロセッサ１５００が代表となる１つまたは複数のプロセッサ及びメモリ１５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１５１０は、複数の部品であることができ、即ち、送信機及び受信機を備え、伝送媒体を介して他の装置と通信するユニットを提供する。異なるユーザー設備に対し、ユーザーインターフェース１５３０は、外部接続または内部接続に必要な設備のインターフェースであることもできる。接続する設備は、キーパッド、ディスプレー、スピーカー、マイクロホン、ジョイスティック等を備えるが、これに限られない。
【０１８５】
プロセッサ１５００は、バズアーキテクチャ及び通常の処理を監視し、メモリ１５２０はプロセッサ１５００が動作する際に利用するデータを記憶することができる。
【０１８６】
よって、本発明に係る実施例の技術案によれば、ＤＬ ｃｏｎｔｒｏｌ ｃｈａｎｎｅｌは指定された固定位置において伝送される。ＵＥは各々指定された固定位置においてＤＬ ｃｏｎｔｒｏｌ ｃｈａｎｎｅｌを検索し、ＤＬ ｇｒａｎｔに含まれる情報に基づいてｄａｔａ ｒｅｇｉｏｎ内の可能のＤＬ ｃｏｎｔｒｏｌ ｃｈａｎｎｅｌ位置を飛ばし、ＤＬ ｃｏｎｔｒｏｌ ｃｈａｎｎｅｌを受信する必要がある次の位置を取得する。本発明を採用すると、ＤＬ ｃｏｎｔｒｏｌ ｃｈａｎｎｅｌが各々ダウンリンク伝送時間帯における固定位置において伝送することができるようになり、様な長さのＴＴＩをサポートし、今後の多様なサービスタイプをサポートすることができる。
【０１８７】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１８８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。  
【０１８９】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１９０】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。  
【０１９１】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１９２】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【０１９３】
本出願は、２０１６年１月２９日に中国特許局に提出し、出願番号が２０１６１００６６４７７.９であり、発明名称が「ノード間秘密保持通信方法およびシステム」との中国特許出願を基礎とする優先権を主張し、その開示の総てをここに取り込む。
【符号の説明】
【０１９４】
１２０１  リソース決定モジュール
１２０２  伝送モジュール
１３０１  検出モジュール
１３０２  領域決定モジュール
１４００  プロセッサ
１４１０  送受信機
１４２０  メモリ
１５００  プロセッサ
１５１０  送受信機
１５２０  メモリ
１５３０  ユーザーインターフェース
【図１】
2019505129.tif 000034
【図２】
2019505129.tif 000035
【図３】
2019505129.tif 000036
【図４】
2019505129.tif 000037
【図５】
2019505129.tif 000038
【図６】
2019505129.tif 000039
【図７】
2019505129.tif 000040
【図８】
2019505129.tif 000041
【図９】
2019505129.tif 000042
【図１０】
2019505129.tif 000043
【図１１】
2019505129.tif 000044
【図１２】
2019505129.tif 000045
【図１３】
2019505129.tif 000046
【図１４】
2019505129.tif 000047
【図１５】
2019505129.tif 000048
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
ダウンリンク伝送時間帯におけるリソース割り当て状態を決定するステップであって、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数である前記決定ステップと、
少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングするステップとを備えることを特徴とするダウンリンク制御情報の伝送方法。 
【請求項２】
ダウンリンク制御情報を伝送するための前記所定リソースは、以下のいずれかの１つの方式またはそれらの任意の組み合わせにより決定され、
周波数領域におけるＫ１個のサブキャリア及び時間領域におけるＫ２個の直交周波数分割多重ＯＦＤＭシンボルはダウンリンク制御情報により占有される場合、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項１に記載のダウンリンク制御情報の伝送方法。
【請求項３】
前記エレメンタリー伝送エレメントは、Ｎ個のサブキャリアＭ個のＯＦＤＭシンボルより構成されるリソースブロックであり、Ｎ、Ｍは正整数であることを特徴とする請求項２に記載のダウンリンク制御情報の伝送方法。 
【請求項４】
所定リソースのリソース位置がダウンリンク伝送時間帯における特定周波数領域位置である場合、前記周波数領域位置は、ダウンリンク伝送時間帯におけるＹ個のサブキャリアＳＣであり、Ｙ個のＳＣは連続的であるかまたは離散的であり、Ｙは正整数であることを特徴とする請求項２に記載のダウンリンク制御情報の伝送方法。 
【請求項５】
前記ダウンリンク制御情報にはスケジューリングＵＥのＩＤ及び/またはデータ領域のサイズが含まれ、
前記ダウンリンク制御情報にはアイドル領域のサイズがさらに含まれることを特徴とする請求項１ないし請求項４のいずれか１項に記載のダウンリンク制御情報の伝送方法。 
【請求項６】
ダウンリンク伝送時間帯における所定リソースにおいて、ダウンリンク制御情報を検出するステップであって、前記ダウンリンク伝送時間帯には、少なくとも１つのシンボルが含まれるか、または、前記ダウンリンク伝送時間帯長がＢｍｓであり、Ｂは正整数である前記検出ステップと、
検出されたダウンリンク制御情報に基づき前記ダウンリンク制御情報により指示されたデータ伝送領域を決定するステップと、
前記データ伝送領域において次のダウンリンク制御情報を検出するステップとを備えることを特徴とするダウンリンク制御情報の検出方法。
【請求項７】
ダウンリンク制御情報を検出するための前記所定リソースは、以下のいずれかの１つの方式またはそれらの任意の組み合わせにより決定され、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項６に記載のダウンリンク制御情報の検出方法。
【請求項８】
前記エレメンタリー伝送エレメントは、Ｎ個のサブキャリアＭ個のＯＦＤＭシンボルより構成されるリソースブロックであり、Ｎ、Ｍは正整数であり、
所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、前記Ｓ１及びＳ２は正整数であることを特徴とする請求項７に記載のダウンリンク制御情報の検出方法。
【請求項９】
所定リソースがエレメンタリー伝送エレメントである場合、前記エレメンタリー伝送エレメントに、１つのダウンリンク制御チャネルまたは１つのダウンリンク制御チャネルの一部が含まれ、
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項７に記載のダウンリンク制御情報の検出方法。
【請求項１０】
前記ダウンリンク制御情報には、スケジューリングＵＥのＩＤ及び/またはデータ領域のサイズが含まれ、
前記ダウンリンク制御情報にアイドル領域のサイズがさらに含まれる場合、検出されたダウンリンク制御情報に基づき前記ダウンリンク制御情報により指示されたデータ伝送領域及び/またはアイドル領域を決定するステップと、
前記データ伝送領域及び/またはアイドル領域以外の領域において次のダウンリンク制御情報を検出するステップとをさらに備えることを特徴とする請求項６ないし請求項９のいずれか１項に記載のダウンリンク制御情報の検出方法。
【請求項１１】
ダウンリンク伝送時間帯におけるリソース割り当て状態を決定し、前記リソース割り当ては、少なくとも１つのダウンリンク伝送リソース領域の割り当てを含み、異なるダウンリンク伝送リソース領域は、異なる時間領域リソースまたは周波数領域リソースまたは時間・周波数領域リソースを占有し、前記ダウンリンク伝送時間帯には、少なくとも１つのシンボルが含まれるか、または、前記ダウンリンク伝送時間帯長がＢｍｓであり、Ｂは正整数であるリソース決定モジュールと、
少なくとも１つのダウンリンク伝送リソース領域内の所定リソースにおいてダウンリンク制御情報を伝送し、前記ダウンリンク制御情報は、少なくとも１つの端末が前記ダウンリンク伝送リソース領域においてデータを伝送することを、スケジューリングする伝送モジュールとを備えることを特徴とするダウンリンク制御情報の伝送装置。
【請求項１２】
前記リソース決定モジュールは、以下のいずれかの方式または任意の組み合わせで、ダウンリンク制御情報を伝送するための前記所定リソースを決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項１１に記載のダウンリンク制御情報の伝送装置。
【請求項１３】
前記エレメンタリー伝送エレメントは、Ｎ個のサブキャリアＭ個のＯＦＤＭシンボルより構成されるリソースブロックであり、Ｎ、Ｍは正整数であることを特徴とする請求項１２に記載のダウンリンク制御情報の伝送装置。
【請求項１４】
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項１２に記載のダウンリンク制御情報の伝送装置。
【請求項１５】
前記ダウンリンク制御情報には、スケジューリングＵＥのＩＤ及び/またはデータ領域のサイズが含まれ、
前記ダウンリンク制御情報にはアイドル領域のサイズがさらに含まれることを特徴とする請求項１１ないし請求項１４のいずれか１項に記載のダウンリンク制御情報の伝送装置。
【請求項１６】
ダウンリンク伝送時間帯における所定リソースにおいて、ダウンリンク制御情報を検出し、前記ダウンリンク伝送時間帯には、少なくとも１つのシンボルが含まれるか、または、前記ダウンリンク伝送時間帯長がＢｍｓであり、Ｂは正整数である検出モジュールと、
検出されたダウンリンク制御情報に基づき前記ダウンリンク制御情報により指示されたデータ伝送領域を決定する領域決定モジュールとを備え、
前記検出モジュールは、前記データ伝送領域以外の領域でダウンリンク制御情報を検出することを特徴とするダウンリンク制御情報の検出装置。 
【請求項１７】
前記検出モジュールは、以下のいずれかの方式またはその組み合わせで、ダウンリンク制御情報の前記所定リソースへの検出を決定し、
周波数領域におけるＫ１個のサブキャリア及び時間領域におけるＫ２個のＯＦＤＭシンボルは、ダウンリンク制御情報により占有され、上位層構成に基づいてＫ１及び/またはＫ２を決定するか、または、プロトコルにより定義された多様な組み合わせに基づいてＫ１及び/またはＫ２を決定するか、または、専用信号の通知に基づいてＫ１及び/またはＫ２を決定し、
所定リソースのリソース位置は、各々エレメンタリー伝送エレメントの開始位置であるか、または、各々ダウンリンク伝送リソース領域の開始位置であるか、または、ダウンリンク伝送時間帯における先頭のいくつかのＯＦＤＭシンボル上の特定周波数領域位置であるか、または、ダウンリンク伝送時間帯における、時間領域において全ダウンリンク伝送時間帯にわたる全部のＯＦＤＭシンボル上の、特定周波数領域位置であるか、または、他の固定位置であることを特徴とする請求項１６に記載のダウンリンク制御情報の検出装置。
【請求項１８】
前記エレメンタリー伝送エレメントは、Ｎ個のサブキャリアＭ個のＯＦＤＭシンボルより構成されるリソースブロックであり、Ｎ、Ｍは正整数であり、
前記検出モジュールは、所定リソースがエレメンタリー伝送エレメントである場合、周波数領域においてＳ１個のエレメンタリー伝送エレメント、時間領域においてＳ２個のエレメンタリー伝送エレメントを粒度としてダウンリンク制御情報検出し、前記Ｓ１及びＳ２は正整数であることを特徴とする請求項１７に記載のダウンリンク制御情報の検出装置。
【請求項１９】
所定リソースがエレメンタリー伝送エレメントである場合、前記エレメンタリー伝送エレメントに、１つのダウンリンク制御チャネルまたは１つのダウンリンク制御チャネルの一部が含まれ、
所定リソースのリソース位置がダウンリンク伝送時間帯における特定周波数領域位置である場合、前記周波数領域位置はダウンリンク伝送時間帯におけるＹ個のＳＣであり、Ｙ個のＳＣは連続的であるかまたは離散的であり、Ｙは正整数であることを特徴とする請求項１７に記載のダウンリンク制御情報の検出装置。
【請求項２０】
前記ダウンリンク制御情報には、スケジューリングＵＥのＩＤ及び/またはデータ領域のサイズが含まれ、
前記領域決定モジュールュールは、前記ダウンリンク制御情報にアイドル領域のサイズが含まれる場合、検出されたダウンリンク制御情報に基づき前記ダウンリンク制御情報により指示されたデータ伝送領域及び/またはアイドル領域を決定し、
前記検出モジュールは、前記データ伝送領域及び/またはアイドル領域以外の領域において次のダウンリンク制御情報を検出することを特徴とする請求項１６ないし請求項１９のいずれか１項に記載のダウンリンク制御情報の検出装置。 
【国際調査報告】
2019505129.tif 000049
2019505129.tif 000050
2019505129.tif 000051
2019505129.tif 000052